(57)【要約】  本発明に係る脊椎側弯症患者用非対称脊椎補助器具は、繊維素材からなり、脊椎側弯症患者の上体を包む衣服形態の衣服部と、前記衣服部の前胸部分に一端が結着し、前記衣服部の脇腹を包んで背中部分から二股に分かれ、背中部分を上方斜線に横切って一側肩部分に結着する第１バンドと、前記第１バンドと異なる方向に延びた第２バンドとからなる第１バンディング部と、前記第１バンディング部の下側に結着し、前記第１バンディング部と反対方向に腰部分を包みながら二股に分かれ、背中部分を上方斜線に横切って他側肩部分に結着する第３バンドと、前記第３バンドと異なる方向に延びた第４バンドとからなる第２バンディング部とを含むことにより、青少年の脊椎側弯症患者の脊椎湾曲の進行を効果的に抑制する効果があり、特に、第１バンディング部および第２バンディング部の組み合わせで発生する非対称圧迫により脊椎湾曲の進行を効果的に抑制する効果がある。
2019520094.tif 000002
【特許請求の範囲】
【請求項１】
繊維素材からなり、脊椎側弯症患者の上体を包む衣服形態の衣服部と、
前記衣服部の前胸部分に一端が結着し、前記衣服部の脇腹を包んで背中部分から二股に分かれ、背中部分を上方斜線に横切って一側肩部分に結着する第１バンドと、前記第１バンドと異なる方向に延びた第２バンドとからなる第１バンディング部と、
前記第１バンディング部の下側に結着し、前記第１バンディング部と反対方向に腰部分を包みながら二股に分かれ、背中部分を上方斜線に横切って他側肩部分に結着する第３バンドと、前記第３バンドと異なる方向に延びた第４バンドとからなる第２バンディング部とを含むことを特徴とする脊椎側弯症患者用非対称脊椎補助器具。
【請求項２】
前記第１バンディング部の前記第２バンドおよび前記第２バンディング部の第４バンドは、前記背中部分の中間部分まで延びるものの、先端が相互上下に離隔するように延びた、請求項１に記載の脊椎側弯症患者用非対称脊椎補助器具。
【請求項３】
前記第１バンディング部の前記第２バンドは、前記背中部分の中間部分を経由して延びるものの、前記背中部分を下方斜線に横切って腰部分を包んで一側腹部部分に結着するように延びた、請求項１に記載の脊椎側弯症患者用非対称脊椎補助器具。
【請求項４】
前記第２バンディング部の前記第４バンドは、前記背中部分の中間部分を経由して延びるものの、腰部分を包みながら他側腹部部分に結着するように延びた、請求項１に記載の脊椎側弯症患者用非対称脊椎補助器具。
【請求項５】
前記衣服部は、弾性を有する合成樹脂素材を含んでなり、肩部位、胸椎部位および腰椎部位に矯正力を提供すること、を特徴とする、請求項１に記載の脊椎側弯症患者用非対称脊椎補助器具。
【請求項６】
前記衣服部は、前方部分が左右に二分するようにするジッパー、を含むことを特徴とする、請求項１に記載の脊椎側弯症患者用非対称脊椎補助器具。
【請求項７】
前記衣服部は、いずれか一方の脇腹部分の幅を調節して胸椎部位と胸部位を圧迫する強度を調節する圧迫強度調節手段、をさらに含むことを特徴とする、請求項１に記載の脊椎側弯症患者用非対称脊椎補助器具。
【請求項８】
圧迫強度調節手段は、長さ調節が可能なワイヤからなること、を特徴とする、請求項７に記載の脊椎側弯症患者用非対称脊椎補助器具。
【請求項９】
前記衣服部の一方の脇腹部分は、互いに離隔している第１加圧板および第２加圧板からなって肋骨部位を覆う２分割加圧板をさらに含み、
互いに離隔している前記第１加圧板および第２加圧板は、前記ワイヤで連結されること、を特徴とする、請求項７に記載の脊椎側弯症患者用非対称脊椎補助器具。
【請求項１０】
前記衣服部に結合し、前記ワイヤと連携されて前記ワイヤを巻いたり解くダイヤル、をさらに含むことを特徴とする、請求項７に記載の脊椎側弯症患者用非対称脊椎補助器具。
【発明の詳細な説明】
【技術分野】
【０００１】
本発明は、脊椎側弯症患者のための脊椎補助器具に関し、特に、脊椎側弯症患者が成長期に属する青少年の場合、脊椎湾曲の進行が相対的に速く進行することにより、これを効果的に抑制して脊椎矯正施術の効果を極大化する脊椎補助器具に関する。
【背景技術】
【０００２】
脊椎（ｓｐｉｎｅ）とは、人間において首と背中、腰、尻、尾部分に至るまでの主要骨格を維持させる骨をいう。
【０００３】
具体的には、脊椎は、７つの首の骨（頚椎）、１２の胸の骨（胸椎）、５つの腰の骨（腰椎）、５つの仙骨（仙椎）、４つの尾骨（尾椎）に区分される。
【０００４】
一方、脊椎の中には脳から出た神経束で脊髓（ｓｐｉｎａｌ  ｃｏｒｄ）が存在し、これは、中枢神経系の脳と末梢神経系の末梢器官とを結ぶ役割を果たす。
【０００５】
このように、脊椎は身体の非常に主な部位であって、脊椎疾患を病む場合、生活に多くの困難を与えている。
【０００６】
代表的な脊椎疾患としては、頚椎椎間板ヘルニア、脊椎側弯症、腰痛症候群および椎間板ヘルニアなどがある。
【０００７】
特に、脊椎側弯症（ｓｃｏｌｉｏｓｉｓ）は、代表的な脊椎変形の一つで、人間の脊椎には「歪んでいる状態」または「曲がっている状態」を意味する「湾曲」（ｃｕｒｖｅ）があるが、脊椎の湾曲は、正常人に現れる正常な湾曲と、正常人には見られない異常な湾曲とがある。
【０００８】
このような脊椎側弯症は、全体脊椎側弯症患者の半分程度が１０代の青少年であるほど、成長期に多く発生している。
【０００９】
側弯の程度に応じて異なる処置を取らなければならないが、病症を認知できなかったり、単純な観察処置だけを取る場合が多くて悪化するケースが頻繁に発生する。
【００１０】
したがって、脊椎側弯症の治療の目的は、軽度の湾曲がそれ以上進行しないようにし、中等度以上の湾曲は奇形を矯正しその矯正を維持させて身体の均衡を得て機能および美容を好転させることである。
【００１１】
脊椎側弯症を早期に発見した場合、適切な補助器着用などの保存的な方法でもひどい湾曲への進行を防止することができる。
【００１２】
しかし、従来の補助器具は、脊椎側弯症患者の変形程度に応じて効果的に対応できない問題点があり、特に青少年の場合、成長が続いていてその過程で効果的に脊椎矯正が行われない問題点がある。
【００１３】
さらに、不便な補助器具を用いる患者に補助器具の使用による十分な動機を付与できず、補助器具の使用を簡単に諦めてしまう問題点がある。
【００１４】
このような技術分野の従来技術として大韓民国特許出願第１０−２０１０−００３４３７１号の「脊椎補助器」が開示された。
【００１５】
前記従来技術は、脊椎湾曲などのような脊椎疾患に対して脊椎矯正および回復のために患者が着用する脊椎補助器に関するもので、より詳細には、従来の脊椎補助器に構成された背板の場合、その形状が固定されていて、時間の経過に伴う患者の脊椎状態に効果的に対応できない問題点を解決するために、長さおよび角度調節が可能で内／外被が機能性繊維からなる背板部と、背板部に脱着／付着し簡単な操作で締め可能となるように引き紐固定具が構成された腰バンド部とが構成されるもので、背板の長さ調節および角度調節が可能となるように背板を上部および下部に二分化させた後、それぞれを長さ調節と角度調節が可能な連結部材で連結構成することにより、患者の背中に最適化された長さおよび角度を有するように背板を操作することができる。
【発明の概要】
【発明が解決しようとする課題】
【００１６】
本発明は、上記の従来技術の問題点を解決するためになされたものであって、脊椎側弯症患者に対する脊椎矯正施術の効果を極大化できる脊椎補助器具を提供することを目的とする。
【００１７】
また、本発明は、簡単なバンド構造で使用の便宜性を向上させる脊椎補助器具を提供することを目的とする。
【００１８】
また、本発明は、非対称圧迫により脊椎湾曲の進行を効果的に抑制する脊椎補助器具を提供することを目的とする。
【００１９】
また、本発明は、バンドの位置設定により特定部位を効果的に圧迫する脊椎補助器具を提供することを目的とする。
【００２０】
さらに、本発明は、全体的に柔らかい素材からなって脊椎側弯症患者の活動に制約を与えない脊椎補助器具を提供することを目的とする。
【００２１】
本発明の他の目的は、本発明の特徴により理解可能であり、本発明の実施例を通じてより明確に分かり、請求の範囲に示された手段および組み合わせによって実現できる。
【課題を解決するための手段】
【００２２】
上記の本発明が解決しようとする課題を達成するために、本発明は、以下の技術的特徴を有する。
【００２３】
本発明に係る脊椎側弯症患者用非対称脊椎補助器具は、繊維素材からなり、脊椎側弯症患者の上体を包む衣服形態の衣服部と、前記衣服部の前胸部分に一端が結着し、前記衣服部の脇腹を包んで背中部分から二股に分かれ、背中部分を上方斜線に横切って一側肩部分に結着する第１バンドと、前記第１バンドと異なる方向に延びた第２バンドとからなる第１バンディング部と、前記第１バンディング部の下側に結着し、前記第１バンディング部と反対方向に腰部分を包みながら二股に分かれ、背中部分を上方斜線に横切って他側肩部分に結着する第３バンドと、前記第３バンドと異なる方向に延びた第４バンドとからなる第２バンディング部とを含むことを特徴とする。
【００２４】
ここで、前記第１バンディング部の前記第２バンドおよび前記第２バンディング部の第４バンドは、前記背中部分の中間部分まで延びるものの、先端が相互上下に離隔するように延びることができる。
【００２５】
また、前記第１バンディング部の前記第２バンドは、前記背中部分の中間部分を経由して延びるものの、前記背中部分を下方斜線に横切って腰部分を包んで一側腹部部分に結着するように延びることができる。
【００２６】
また、前記第２バンディング部の前記第４バンドは、前記背中部分の中間部分を経由して延びるものの、腰部分を包みながら他側腹部部分に結着するように延びることができる。
【００２７】
また、本発明に係る脊椎側弯症患者用非対称脊椎補助器具の前記衣服部は、弾性を有する合成樹脂素材を含んでなり、肩部位、胸椎部位および腰椎部位に矯正力を提供することを技術的特徴とする。
【００２８】
さらに、本発明に係る脊椎側弯症患者用非対称脊椎補助器具の前記衣服部は、前方部分が左右に二分するようにするジッパーを含むことを技術的特徴とする。
【００２９】
また、本発明に係る脊椎側弯症患者用非対称脊椎補助器具の前記衣服部は、いずれか一方の脇腹部分の幅を調節して胸椎部位と胸部位を圧迫する強度を調節する圧迫強度調節手段をさらに含むことを技術的特徴とする。
【００３０】
また、本発明に係る脊椎側弯症患者用非対称脊椎補助器具の前記圧迫強度調節手段は、長さ調節が可能なワイヤからなること、を技術的特徴とする。
【００３１】
さらに、本発明に係る脊椎側弯症患者用非対称脊椎補助器具の前記衣服部の一方の脇腹部分は、互いに離隔している第１加圧板および第２加圧板からなって肋骨部位を覆う２分割加圧板をさらに含み、互いに離隔している前記第１加圧板および第２加圧板は、前記ワイヤで連結されること、を技術的特徴とする。
【００３２】
また、本発明に係る脊椎側弯症患者用非対称脊椎補助器具は、前記衣服部に結合し、前記ワイヤと連携されて前記ワイヤを巻いたり解くダイヤルをさらに含むことを技術的特徴とする。
【発明の効果】
【００３３】
本発明は、上記の課題の解決手段により脊椎側弯症患者に対する脊椎矯正施術の効果を極大化できる効果がある。
【００３４】
また、本発明は、青少年の脊椎側弯症患者の脊椎湾曲の進行を効果的に抑制する効果がある。
【００３５】
また、本発明は、簡単なバンド構造で使用の便宜性を向上させ、使用者の自由度を相対的に向上させる効果がある。
【００３６】
また、本発明は、第１バンディング部および第２バンディング部の組み合わせで発生する非対称圧迫により脊椎湾曲の進行を効果的に抑制する効果がある。
【００３７】
また、本発明は、第１バンディング部と第２バンディング部の位置設定により特定部位を効果的に圧迫できる効果がある。
【００３８】
さらに、本発明は、全体的に柔らかい素材からなって衣服のように使用できる効果があり、使用者の拒否感を低減する効果がある。
【００３９】
本発明の他の効果は、本発明の特徴により理解可能であり、本発明の実施例を通じてより明確に分かり、特許請求の範囲に示された手段および組み合わせによって発揮できる。
【図面の簡単な説明】
【００４０】
【図１】本発明に係る脊椎側弯症患者用非対称脊椎補助器具の実施例を示す図である。
【図２】本発明に係る脊椎側弯症患者用非対称脊椎補助器具による衣服部の実施例を示す図である。
【図３】本発明に係る脊椎側弯症患者用非対称脊椎補助器具による第１バンディング部と第２バンディング部を説明するための図である。
【図４】図３の変形例を示す図である。
【図５】本発明に係る脊椎側弯症患者用非対称脊椎補助器具による圧迫強度調節手段の実施例を示す図である。
【図６】本発明に係る脊椎側弯症患者用非対称脊椎補助器具による２分割加圧板の位置を説明するための図である。
【発明を実施するための形態】
【００４１】
後述する本発明に関する詳細な説明は、本発明が実施できる特定の実施例を例として示す添付図面を参照する。これらの実施例は当業者が本発明を実施できるよう十分に詳細に説明される。本発明の多様な実施例は互いに異なるが、相互排他的である必要はないことが理解されなければならない。例えば、ここに記載されている特定の形状、構造および特性は一実施例に関連して本発明の技術的思想および範囲を逸脱することなく他の実施例で実現可能である。また、それぞれの開示された実施例における個別構成要素の位置または配置は、本発明の技術的思想および範囲を逸脱することなく変更可能であることが理解されなければならない。したがって、後述する詳細な説明は限定的な意味として受け取ろうとするのではなく、本発明の範囲はその請求項が主張するのと均等なすべての範囲とともに添付した請求項によってのみ限定される。図面において、類似の参照符号は様々な側面にわたって同一または類似の機能を指し示す。
【００４２】
以下、本発明に係る脊椎側弯症患者用非対称脊椎補助器具を実施例を通じて詳細に説明する。
【００４３】
図１は、本発明に係る脊椎側弯症患者用非対称脊椎補助器具の実施例を示す図である。
【００４４】
前記図１に示すように、本発明に係る非対称脊椎補助器具１００は、衣服部１１０と、第１バンディング部１２０と、第２バンディング部１３０とを含んでなる。
【００４５】
前記衣服部１１０は、繊維素材からなり、脊椎側弯症患者の上体を包む袖なし衣服形態を有する。ただし、衣服部１１０の形態が制限的ではなく、半袖（図４の衣服部を参照）を有するように製造されることも可能である。
【００４６】
本発明に係る非対称脊椎補助器具１００は、多様な繊維素材からなり、袖なし衣服形態または半袖衣服形態にして一般の上着を着るかのように使用できるようにすることで非対称脊椎補助器具１００の使用による使用者の便宜性を向上させ、脊椎側弯症患者の脊椎補助器具１００の使用による行動の制約を最小化して行動の自由度を高める。
【００４７】
例えば、前記図１に示すように、衣服部１１０を形成するにあたり、延伸繊維層を中心として、外側にはシリコーンコーティング層を形成し、内側には機能性繊維層が積層されるように備えることができる。
【００４８】
特に、前記衣服部１１０を延伸繊維層のような弾性を有する合成樹脂素材を用いることにより、肩部位、胸椎部位および腰椎部位に圧迫による矯正力を提供することができる。
【００４９】
このように、前記衣服部１１０をなす素材を、圧迫力を提供する延伸繊維層素材を活用することにより、肩甲と胸椎および腰椎に矯正力を提供するとともに、弱まりかねない筋肉の活性度を高め、血液循環を助け、疲労物質の排出に役立つ。
【００５０】
また、図２は、本発明に係る脊椎側弯症患者用非対称脊椎補助器具による衣服部の実施例を示す図である。
【００５１】
図２に示すように、前記衣服部１１０は、前方部分が左右に二分するようにするジッパー１１２を含むことが好ましい。
【００５２】
前記のように衣服部１１０に形成されるジッパー１１２は、脊椎側弯症患者が本発明に係る非対称脊椎補助器具１００をより容易に着衣および脱衣できるようにする。
【００５３】
また、このような衣服部１１０は、脊椎側弯症患者の上体のサイズに合わせてカスタマイズ型で作製されることが好ましい。
【００５４】
図３は、本発明の脊椎側弯症患者用非対称脊椎補助器具による第１バンディング部と第２バンディング部を説明するための図であり、図４は、図３の変形例を示す図である。
【００５５】
前記第１バンディング部１２０は、図３および図４に示すように、前記衣服部１１０の前胸部分１１３に一端１２１が結着し、前記衣服部１１０の脇腹１１４を包んで背中部分１１５から二股に分かれ、背中部分１１５を上方斜線に横切って一側肩部分１１６に結着する第１バンド１２２と、第１バンド１２２と異なる方向に延びた第２バンド１２３とからなる。
【００５６】
ここで、第１バンディング部１２０の第２バンド１２３は、図４に参照されるように、少なくとも衣服部１１０の背中部分１１５の中間部分まで延びるように形成される。
【００５７】
すなわち、図４に参照された第１バンディング部１２０の第２バンド１２３は、第１バンド１２２と二股に分かれて異なる方向に延長形成されるものの、その先端が背中部分１１５のうち腰椎部分１１９に結着するように延長形成される。
【００５８】
また、図３に参照された第１バンディング部１２０の第２バンド１２３は、上述した背中部分１１５の中間部分を経由してさらに延びるものの、下方斜線に横切って他側腰部分１１７を包んで一側腹部部分１１８に結着するように延長形成される。
【００５９】
すなわち、前記第１バンディング部１２０は、脊椎を圧迫するための手段で、特に胸椎部位を一方向に圧迫するために肋骨部位を圧迫する。
【００６０】
特に、図３に参照された前記第１バンディング部１２０は、一方の肩部分１１６と骨盤のある腰部分１１７および前胸部分１１３からなる３つの地点に結着してより効果的に胸椎部位を圧迫することができる。
【００６１】
ここで、第１バンディング部１２０のうち第１バンド１２２と第２バンド１２３に分かれる前の部位は、第１バンド１２２および第２バンド１２３の幅より広く形成されることが好ましく、この部位が実際に脊椎側弯症患者の胸椎部位が湾曲した部位として矯正が必要な部位に設定可能である。
【００６２】
しかし、必ずしも第１バンディング部１２０のうち前胸部分１１３に結着する部位が、図３に参照されるように１箇所に限定される必要はない。すなわち、図４に参照されるように、第１バンディング部１２０は、前胸部分１１３側に延びながら二股に分かれた分配バンド１２４、１２５をさらに含んでもよい。
【００６３】
分配バンド１２４、１２５は、図４に参照されるように、両胸部分の中央上側部位に結着する上側分配バンド１２４と、両胸部分の中央下側の心窩部位に結着する下側分配バンド１２５とを含むことができる。
【００６４】
したがって、第１バンディング部１２０は、図３に参照されるように、全体的に「Ｙ」字状を有するように形成される一方、図４に参照されるように、全体的に「Ｘ」字状を有するように形成されてもよい。
【００６５】
したがって、第１バンディング部１２０は、図３に参照されるように、背中部位１１５から二股に分かれる前、および図４に参照されるように、前胸部分１１３から二股に分かれる前の広い部位が、脊椎側弯症患者の矯正が必要な湾曲部位の脇腹１１４を圧迫するように形成される。
【００６６】
一方、前記第２バンディング部１３０は、前記第１バンディング部１２０と共に相互作用して脊椎を圧迫する手段であって、図３および図４に参照されるように、前記第２バンド１２３が結着した一側腹部部分１１８に結着し、前記第１バンディング部１２０と反対方向に腰部分１１７を包みながら二股に分かれ、背中部分１１５を上方斜線に横切って他側肩部分１１６−１に結着する第３バンド１３１と、第３バンド１３１と異なる方向に延びた第４バンド１３２とからなる。
【００６７】
ここでの第２バンディング部１３０の第４バンド１３２も、図４に参照されるように、第３バンド１３１と共に二股に分かれて延びるものの、背中部分１１５の中間部分まで延びて形成される。第４バンド１３２の先端は、上述した第２バンド１２３の先端の上下のいずれか一方に所定距離離隔して結着できる。この時、第４バンド１３２の先端は、背中部分１１５の中間部分に相当する腰椎部分１１９に結着できる。
【００６８】
また、第２バンディング部１３０の第４バンド１３２は、図３に参照されるように、背中部分１１５の中間部分を経由してさらに延びるものの、腰部分を包みながら他側腹部部分１１８−１に結着するように延長形成される。
【００６９】
すなわち、前記第２バンディング部１３０は、腹部部分１１８、他側肩部分１１６−１および他側腹部部分１１８−１からなる３つの地点に結着してより効果的に腰椎部位を圧迫することができる。
【００７０】
ここでも、第２バンディング部１３０のうち第３バンド１３１と第４バンド１３２に分かれる前の部位は、第３バンド１３１および第４バンド１３２の幅より広く形成されることにより、脊椎側弯症患者の矯正部位の腰部分１１７を圧迫する部位に設定可能である。
【００７１】
したがって、第２バンディング部１３０は、全体的に「Ｌ」字状を有するように形成され、第１バンディング部の反対側に相当する脊椎側弯症患者の矯正が必要な湾曲部位を圧迫して矯正する役割を果たす。
【００７２】
以下では、説明の便宜のために、図３に参照された脊椎側弯症患者用非対称脊椎補助器具を「第１実施例」と定義し、図４に参照された脊椎側弯症患者用非対称脊椎補助器具を「第２実施例」と定義して説明する。
【００７３】
一方、本発明に係る脊椎側弯症患者用非対称脊椎補助器具の実施例は、図４に参照されるように、衣服部１１０の腰部分を全体的に包むように配置された第１ベルクロ結着台２０１と、第１ベルクロ結着台２０１のうち衣服部１１０の腹部部位１１８から上側に延びて両肩に二分するように分割延長する第２ベルクロ結着台２０２とをさらに含んでもよい。
【００７４】
第１ベルクロ結着台２０１および第２ベルクロ結着台２０２は、ベルクロタイプの結合方式で、第１バンド〜第４バンド１２２、１２３、１３１、１３２が結着する場所を提供する役割を果たす。
【００７５】
ここで、図３に参照された第１実施例の第１バンディング部１２０の第２バンド１２３および第２バンディング部１３０の第４バンド１３２は、第１ベルクロ結着台２０１にベルクロタイプで結着することが有利であり、第１バンディング部１２０の第１バンド１２２および第２バンディング部１３０の第３バンド１３１は、第２ベルクロ結着台２０２にベルクロタイプで結着することが有利である。
【００７６】
しかし、図４に参照された第２実施例の第１バンディング部１２０の上側分配バンド１２４および下側分配バンド１２５は、第２ベルクロ結着台２０２にベルクロタイプで結着することが有利であり、第１バンディング部１２０の第２バンド１２３および第２バンディング部１３０の第４バンド１３２は、第１ベルクロ結着台２０１のうち背中部分にベルクロタイプで結着することが有利である。
【００７７】
第１ベルクロ結着台２０１の背中部分には、脊椎側弯症患者の背中部分を強固に支持するための腰椎支持板２０５が付着し、腰椎支持板２０５は、第１バンディング部１２０の第２バンド１２３および第２バンディング部１３０の第４バンド１３２がベルクロ方式で結合される材質で形成される。
【００７８】
このような前記第１バンディング部１２０および第２バンディング部１３０の素材は、衣服部１１０をなす素材と同一素材とすることが好ましく、脊椎側弯症患者の上体のサイズと脊椎側弯の程度に合わせて各バンディング部の長さを決定することが好ましい。
【００７９】
また、前記第１バンディング部１２０と第２バンディング部１３０の具体的な結着地点は、脊椎側弯症患者の脊椎側弯の程度及び位置に応じて調節される。
【００８０】
一方、図５は、本発明に係る脊椎側弯症患者用非対称脊椎補助器具による圧迫強度調節手段の実施例を示す図である。
【００８１】
図５に示すように、本発明に係る脊椎側弯症患者用非対称脊椎補助器具の前記衣服部１１０は、いずれか一方の脇腹部分１１４の幅を調節して胸椎と連結された肋骨に作用する圧迫強度を調節するために強度調節手段１４０をさらに含む。
【００８２】
このような圧迫強度調節手段１４０は、衣服部１１０のいずれか一方の脇腹部分１１４の幅を調節可能な多様な手段になりうるが、最も簡単な方法としては、前記図５に示すように、長さ調節が可能なワイヤ１４１を用いてワイヤ１４１を巻いたり解く方法で脇腹部分１１４の幅を調節することにより、胸部位のサイズを小さくしたり大きくして圧迫力を調節する。
【００８３】
すなわち、前記圧迫強度調節手段１４０は、前記図５に示すように、脇腹部分１１４に所定の幅でワイヤ１４１を編んでおき、前記ワイヤ１４１を巻いたり解く方式で脇腹部分１１４の幅を調節することにより、衣服部１１０の胸部位の周りが調節されて圧迫する強度が調節される。
【００８４】
この時、前記ワイヤ１４１を巻いたり解くことは、前記図５に示すように、衣服部１１０に結合し、前記ワイヤ１４１と連携されて前記ワイヤ１４１を巻いたり解くダイヤル１４２を用いることが好ましい。
【００８５】
前記ダイヤル１４２は、使用者が選択的に回転および固定できる構造で、前記ワイヤ１４１と連携されてダイヤル１４２の回転によりワイヤ１４１を巻いたり解く。
【００８６】
したがって、使用者はダイヤル１４２を介して容易にワイヤ１４１を巻いたり解くことができ、ダイヤル１４２の回転数に応じて圧迫強度を段階化することができる。
【００８７】
図６は、本発明に係る脊椎側弯症患者用非対称脊椎補助器具による２分割加圧板の位置を説明するための図である。
【００８８】
本発明に係る脊椎側弯症患者用非対称脊椎補助器具１００の前記衣服部１１０の一方の脇腹部分１１４は、図６に示すように、側面で肋骨部位を覆う広さを有し、互いに離隔して形成される第１加圧板１４３−１および第２加圧板１４３−２からなる２分割加圧板をさらに含むことが好ましい。
【００８９】
前記２分割加圧板は、ＡＢＳ素材のような、相対的に硬度の高い合成樹脂素材からなり、衣服部１１０に形成され、互いに離れている第１加圧板１４３−１および第２加圧板１４３−２は、前記ワイヤ１４１で連結される。
【００９０】
すなわち、２分割加圧板は、衣服部１１０の脇腹部分１１４に形成され、前記第１加圧板１４２−１および第２加圧板１４２−２は、ワイヤ１４１で連結されていてワイヤ１４１の長さ調節に応じて狭くなったり遠くなる。
【００９１】
このような２分割加圧板は、幅が調節される衣服部１１０の脇腹部分１１４に付加され、肋骨部位により強い圧迫力を相対的に均一に提供することができる。
【００９２】
このような実施例による脊椎側弯症患者用非対称脊椎補助器具１００は、相対的に重量が軽くて着用感が良く、水洗濯が可能である。
【００９３】
また、各バンディング部ごとに圧迫強度を測れるガイドラインを適用してどの部位をどれだけ引っ張るべきかが分かり、正確な圧迫力を脊椎の所定の部分に作用できる。
【００９４】
また、非対称に第１バンディング部１２０と第２バンディング部１３０を位置させて非対称に脊椎を圧迫することにより、骨盤と肩の回転を抑制し、骨盤と肩の傾きを矯正し、起立筋の圧迫とけん引が可能である。
【００９５】
以上、本発明を好ましい実施例に基づいて説明したが、本発明の技術的思想はこれに限定されず、請求項に記載の範囲内で変形や変更実施が可能であることは、本発明の属する技術分野における通常の知識を有する者に明らかであり、そのような変形や変更は添付した請求の範囲に属する。
【符号の説明】
【００９６】
１：脊椎側弯症患者
１００：非対称脊椎補助器具
１１０：衣服部
１１２：ジッパー
１２０：第１バンディング部
１２１：一端
１２２：第１バンド
１２３：第２バンド
１３０：第２バンディング部
１３１：第３バンド
１３２：第４バンド
１４０：圧迫強度調節手段
１４１：ワイヤ
１４２：ダイヤル
１４３−１：第１加圧板
１４３−２：第２加圧板
【図１】
2019520094.tif 000003
【図２】
2019520094.tif 000004
【図３】
2019520094.tif 000005
【図４】
2019520094.tif 000006
【図５】
2019520094.tif 000007
【図６】
2019520094.tif 000008
【国際調査報告】
2019520094.tif 000009
2019520094.tif 000010
2019520094.tif 000011
2019520094.tif 000012
2019520094.tif 000013
2019520094.tif 000014